(57)【要約】      （修正有）【課題】横向き取り付けされたライティングダクトの十分な耐震強度を維持する補強装置の提供。【解決手段】筐体３の取り付け面近傍の二箇所に補強用の突起３ｅを設け、樹脂カバー１０で覆い且つ連結された二個の補強金具９で、ライティングダクト１の開口折返し部１ｂとダクトプラグの突起３ｅを引っ掛けて保持することによって、各方向からの荷重負荷をダクトプラグ筐体３で直接支えて、取付部と接続部への負担を排除する方法を採る。  二個の補強金具９を使用する事によって、ライティングダクト内に平行して挿入できなく問題については、樹脂カバーの連結部１０ｃを屈曲させて、間隔を縮めることで対応する。  また、ダクトプラグ筐体表面の開放穴を極力排除して、均一の表面骨格と強度を維持する成形形状とする。その手段として、回転止め本体から延ばした逆Ｕ字型の樹脂ばねを形成する。【選択図】図１
2007134294.tif 000002
【特許請求の範囲】
【請求項１】
壁面等に取付面を横向きにして取り付けられたライティングダクトに組み合わされて使用され、実使用時に最上部かつライティングダクトとの近接部になるダクトプラグ筐体外郭の一部に設けた掛止部とライティングダクト上側の開口折返し部とを相互に引っ掛けて引き寄せる補強構造を有する横向き取り付け対応型の照明器具内蔵用アダプターに於いて、ライティングダクトの取付面から極性表示用リブの高さを避けた最接近位置のダクトプラグ外郭の上下に対称となる突起を設け、それと嵌合する左右対称形状にしてライティングダクトの開口折返し部の先端に引っ掛ける爪を備えた二個の補強金具を、セルフヒンジ効果を有する軟質樹脂製の前後左右対称形状としたカバーで露出部分の概略を覆い収納固定すると共に、繋ぎ連結部分となる中央部の左右に三箇所以上の蝶番構造を形成して具備する事によって、吊り下げ使用時にも補強効果を発揮する事を特徴とするおよび取付補強装置。
【請求項２】
軟質樹脂製カバーの実使用時にライティングダクト取付面と接する最両端部の四箇所にに、極性表示用リブの内側に収まる最大寸法に設定して展開した過挿入防止目的の障壁を有すると共に、繋ぎ連結部を含めた側面形状をライティングダクトに対して直角且つ直線形状としたことを特徴とする請求項１項記載の取り付け補強装置。
【請求項３】
取り付け後にライティングダクトの開口部に入り込んでダクトプラグ筐体の不用意な回転を防ぐ回転止め装置に於いて、成形材料の基本特性を活かして回転止め本体から延ばした逆Ｕ字型の樹脂ばねを形成すると共に、筐体に設けた角穴から圧縮状態で樹脂ばね部を挿入し、その先端を筐体内側の角穴下部に引っ掛ける事で抜け止めを行う構造によって、ダクトプラグ筐体表面の開放穴を極力排除して均一の表面骨格と強度を維持することを特徴とする請求項１項記載のダクトプラグ。
【発明の詳細な説明】
【技術分野】
【０００１】  本発明は、通常の屋内の天井および壁面に設置されたライティングダクトに取り付け、天井に大形照明機器等を吊り下げ設置した際には耐荷重補強効果を発揮すると共に、壁面に横向きに取り付けられた際には各方向への不均衡応力に対して安定且つ強固な取り付け状態を維持することを目的としたアダプターとその補強補助具の構成と構造に関する。
【背景技術】
【０００２】  ライティングダクト用アダプターは通称ダクトプラグと呼ばれ、主にスポットライト等の照明器具に組み込まれ、器具内蔵用として使用される場合が多い。以下、ダクトプラグと称する。スポットライト形照明器具は、その性格から照射方向を調整可能とすることが必須であり、ダクトプラグ下部には吊り下げアームと一体化した結合具が取り付けられ、概ね３６０度の回転摺動を可能としている。【０００３】  近年、ライティングダクトを壁面に横向きに取り付け、ダクトプラグを内蔵した吊り下げ用照明器具を横向きに取り付けて、壁面や天井等を照射する使用例が増えている。この場合、照明機器内では十分な強度確保ができるが、既存のライティングダクトや形状寸法が限定されるダクトプラグの取付部に対しては予想外の負荷が掛かる。その結果として、接続部の位置関係が狂い、接触不良等の不具合が生じていた。【０００４】  その対策として図２及び図３の様に、ダクトプラグの上方に突起を設け、その突起部とライティングダクトの開口折返し部を補強補助具で挟み込む構造として、引っ張り強度向上策を施したものがある（特許文献１参照）。
【特許文献１】特願２００５−２３６１１２（図２、図３、図７）
【０００５】  以下、図２、図３により従来の横向き取り付け構造について説明する。図２は、ライティングダクトへの取り付け構造を示す斜め後方からの斜視図である。図３は、実使用時の外観を示す斜め下からの斜視外観図である。【０００６】  図２及び図３の構造は、ライティングダクト１が所定の取り付け方法と統一された方向に施工される場合は極めて効果的である。壁面に取り付けられた図示例では、ライティングダクト１の極性表示凸リブ１ｆが下側になるように設定している。その目的は、塵芥積層の可能性がある下側の極を接地極とするためである。そして横向き取付時には、ライティングダクト１の開口部にカバー４を取り付けることが義務付けられている。【０００７】  しかし、ライティングダクト１が上下逆向きに取り付けられた場合には、図２及び図３の構造では効果がない。更に斜め天井や、壁面に傾斜して取り付けられた場合にも、補強補助具５とダクトプラグ筐体３に対して、不安定を誘発する斜め方向の力が作用する。【０００８】  正規の方向に取り付けられた場合に於いても、地震発生時のように不特定方向の瞬間加速度と繰り返し振動を受けた場合にも、不安定で不均衡な応力が発生し得る。これらの状況は、一般的では無いかも知れないが、非現実的な想定外の事象でもない。この様に希な事例ではあるが、従来構造ではそれらに対して不確実な要因が残っていた。【０００９】  横向き取り付け時に於ける、ダクトプラグ筐体３の回転止めは重要な働きをする。横向きに取り付けられた照明機器はダクトプラグの回転軸に対して平衡が取れているとは限らないからである。不均衡の場合は常に回転する力がダクトプラグ筐体３に掛かり、その回転力を回転止め８を介してライティングダクト１に伝え保持している。【００１０】  図４に従来の開放穴６ｅを有する筐体外観斜視図を示す。ダクトプラグ筐体３は、ダクトプラグ本体６とダクトプラグ蓋７で構成され、双方の上部に突起６ａ、７ａと下方に回転機構収納部６ｂ、７ｂを備える。ダクトプラグ筐体３を構成するダクトプラグ本体６とダクトプラグ蓋７も、同様に回転力を受けて捻れの力が働く。筐体構成部品の表面開口部分は強度の平衡を欠く要因になるため、本体６と蓋７は極力単純な形状が望ましい。従来例では、回転止め８の位置決めと摺動動作用の案内壁を設けるために細長のスリット穴６ｆや、摺動反発力発生のための巻線ばねの位置決めピン６ｇや摺動範囲を制限するための掛止片６ｃを設けるための開放穴６ｅが発生する。これらの開放穴６ｅは、組み込み部品の取り付け構造設計に基づく金型構造上の必然から発生するもので極力廃止するのが望ましいものである。
【発明の開示】
【発明が解決しようとする課題】
【００１１】  前項の問題に鑑み、横向き取り付けされたライティングダクトの取り付け方向や角度について不具合が生じた場合でも、安定した取り付け強度を確保すると共に地震等の際に生じる不特定方向への振動振幅に対しても十分な耐震強度を維持し、縦方向への吊り下げ用に使用された場合は器具重量に対する耐高荷重および高信頼型の補強構造にも成り得る、横向き取り付け対応型のダクトプラグとその補強装置の具体化を課題とする。
【問題を解決するための手段】
【００１２】  本発明は、ダクトプラグの横向き取り付け時に於いて、筐体の取り付け面近傍の上下二箇所に補強用の突起を設け、樹脂カバーで覆い且つ連結された二個の補強金具で、ライティングダクトの機械的保持構造用の折返し部とダクトプラグの突起を引っ掛けて保持することによって、各方向からの荷重負荷をダクトプラグ筐体で直接支えて、取付部と接続部への負担を排除する方法を採る。
【００１３】  二個の補強金具を使用する事によって、ライティングダクト内に平行して挿入できなく問題については、樹脂カバーの連結部を屈曲させる事で間隔を縮めて対応する。
【００１４】  また、ダクトプラグ筐体表面の部品組込用の開放穴を極力排除して、均一の表面骨格と強度を維持する成形形状とする。その手段として、対象部品である筐体の回転を防止する回転止めの成形材料の基本物性を最大限に活用して複合機能化した部品形状で対応する。具体的にはＰＣ（ポリカーボネート樹脂）の基本特性を活かして、回転止め本体から延ばした逆Ｕ字型の樹脂ばねを形成すると共に、筐体に設けた角穴から圧縮状態で樹脂ばね部を挿入し、その先端を筐体内側の角穴下部に引っ掛ける事で抜け止めを行う。
【発明の効果】
【００１５】  本発明の最大の効果は、補強金具を上下左右各々対称に設置できる事である。それによって不特定方向からの荷重にも常時対応できるようになった。横向き取付は、それらの取付形態の一つとなった。前述の横向き取付施工時の不具合に対して信頼性を損なわない。
【００１６】  更に対称構造としたので、比較的重量の有るＨＩＤ器具等に対しては、吊り下げ設置の際の補強対策として使用できる。一方、軽量小型の器具については補強装置なしで、従来同様の吊り下げ形態で使用する事ができる。
【００１７】  そして重要な効果は、本発明のダクトプラグを使用する事で、吊り下げ取付と横向き取付の兼用型器具が提供できる。横向き取付を行う場合には、横向き取付用の補強装置を追加するだけで良く、専用器具を準備して無用に管理機種数を増加させる必要がない。
【００１８】  施工性の面では、ダクトカバーの施工が極めて容易になる。補強装置は、ダクトカバーの取り付けと同時に事前施工ができて、工具も必要としない。また、取付後も照明器具本体部を取り付けるまでは、自由にライティングダクト上を移動させることができて取付位置の調整ができる。
【００１９】  補強装置の樹脂カバー１０の側面形状を垂直形状とする事で、従来通りダクトカバーの長さ調節は直角切断加工のみで対応でき、切断加工行程が大幅に簡略化できる。更に、垂直切断加工により長短カバーの組み合わせが可能となるので、端材の有効活用が可能となり、後々の位置変更も可能になる。
【００２０】  新たな筐体３回転止め８の組込構造は、組立用ナット１１を効果的に押さえ込み、取り扱いが厄介なコイルスプリングを不要とし、管理工数と組立工数の削減が可能となってコストダウンを行う事ができる。
【発明を実施するための最良の形態】
【００２１】  本発明は、壁面に開口部を横向きに取り付けられたライティングダクト１に、器具内蔵用ダクトプラグを使用して取り付けられて、一定の水平距離方向に伸ばした灯体アームでランプ収納部を支え、主に壁面や天井面を照射する照明装置に適用することを最良の実施形態とする。【００２２】  本発明に於けるダクトプラグの取付方法と形状は、その構造から、ダクトプラグ筐体３全体を９０度回転させて着脱を行う方式の概略円筒形状に概ね限定される。【００２３】  本説明は、ライティングダクト１内の導体および絶縁体の形状、ダクトプラグの引掛爪、筐体３内の接触片、器具内配線接続用の端子、及び、器具形態によって多様に変化する器具本体や灯体アーム２との組合せ構造、等々について述べていないが、本発明はそれらの構造の如何に関わらず応用実施することができるものである。【００２４】  また、器具内配線等の接続構造は、簡易速結構造でも、本例の様なねじ締め端子でも構わない。その理由は、本発明の構造上、ダクトプラグ筐体３の突起部３ｅを介して外郭にのみ負荷が掛かり、従来の様に引掛爪３ａや接触片３ｄの接続部品に対して何ら負荷を与えないからである。
【実施例１】
【００２５】  図１は、本発明によるダクトプラグと補強装置の取り付け状態を示す、斜め後方から見た場合の斜視外観図である。図５は、本発明によるダクトプラグと補強装置をライティングダクトに取り付けた状態の前方斜め下方から見た時の斜視外観図である。そして図６は樹脂カバー１０と補強金具９の組込構造を示す、補強装置の斜視図である。以下、図面を参照しながら説明を行う。【００２６】  本発明では、ライティングダクトの取付面下端１ａとダクトプラグ筐体３上部の二箇所に設けられた突起部３ｅとを相互に引っ掛けて引き寄せあうため、補強金具９を二個使用する。そして、この二個の補強金具は外観表面の体裁を保つ目的と、相互を保持連結して一体化するために軟質の樹脂カバー１０で表面が覆われている。補強金具９はカバー１０の立体的な形状と部分的に設けた固定用の爪１０ａ、１０ｂで、カバー１０内に収納されている。【００２７】  補強金具９は、絞り曲げ加工によって成形された補強目的の上部フレーム９ａと下部フレーム９ｅとダクトプラグ筐体３に設けた突起部３ｅが引っ掛かる引掛部９ｂを備える。取付時に回転する突起部３ｅとの接触を避けるために外側に逃げたフレーム腕部９ｃは、剛性強化のために端部を折り曲げて補強されている。折り曲げた先端部９ｆは樹脂カバー１０の爪１０ａに引っ掛かって組込固定される。また、フレーム腕部９ｃの先端には、ライティングダクト１の開口折返し部１ｂに引っ掛かる大爪９ｄを備えている。【００２８】  ところが、二個の補強金具９の採用により、補強金具９の両側先端にあるの大爪９ｄをライティングダクト１の開口折返し部１ｂに挿入できなくなる。それは、従来の様に、片方の補強金具９の大爪９ｄを斜め方向に挿入させる方法が採れないことによる。更に両方の補強金具９は、ほぼ同時にライティングダクト１に嵌合させる必要がある。その対策として、補強金具カバー１０の連結部分１０ｃの三箇所に軟質樹脂の薄肉成形によるセルフヒンジ部１０ｄ，１０ｅを設け、下側に屈曲可動する構造としている。【００２９】  図７に連結部１０ｃが屈曲して挿入間隔が縮まった状態の斜視図を示す。
補強金具９のライティングダクト１への組み込みは、先ず、樹脂カバー１０中央の連結部１０ｃを下側に押して屈曲させる。それを両側から押して縮め、補強金具９の大爪９ｄの間隔を縮めて、ライティングダクト１の内側に挿入する。この時、不用意に奥まで挿入させて、ライティングダクト１の導体１ｄと接触しないように両端にストッパー１０ｆを設けている。【００３０】  挿入後、樹脂の反発力で押し拡がった連結部１０ｃを、指先で更に上方に押し込んで連結部１０ｃを反転させることで仮止めを行う事ができる。この仮止め構造によって、ライティングダクト１への取付と、ダクトプラグ筐体３の挿入を容易にし、補強装置へのダクトプラグの取り付けが特別な作業を行うことなく、通常取付と同様に自動的に行われる。【００３１】  取り付けられた樹脂カバー１０の連結部１０ｃは、両端が直線且つ概略水平面となってダクトカバー４との連続性を確保する。それによって、従来と同様に、長さ調整時のダクトカバー４の切断作業を容易にしている。
【実施例２】
【００３２】  従来のダクトプラグ本体６の表面に発生する開放穴６ｅは、回転止め８の摺動動作用の案内壁や摺動制限壁を成形するために発生する。場合によっては、摺動用のスプリングの収納に関係するものまで有った。【００３３】  本発明では、回転止め８を成形する樹脂材料の物性に着目し、その特性を活かす事によって最小限の取付穴で対処する。
図８は、本発明によるダクトプラグ本体の構造を示す外観斜視図である。図９は、回転止め８の組み込み状態を示す断面図である。図１０は、回転止めの組み込み構造を示す分解断面図である。【００３４】  ダクトプラグ筐体に一般的に使用されるＰＣ（ポリカーボネート）は、適切な条件で成形することにより、強靱な強度と耐疲労性を有し、クリープ耐性にも優れている。それらの特性を活かして、回転止め本体部８から逆Ｕ型のアームを延ばして樹脂ばね部８ａとし、その先端８ｂをダクトプラグ本体６に設けた支持点６ｈに落とし込んでいる。筐体への取り付けは、取付時に樹脂ばね部８ａが押し縮められて通過するだけの角穴６ｊが設けてある。角穴６ｊを通過した樹脂ばね部８ａは外に拡がって先端８ｂがほぼ四半円形の支持点６ｈに収まる。その支持点６ｈによって、抜け止めが機能し、樹脂ばね部８ａによって反発力が確保される。左右に対する耐力は、回転止め８のダクトプラグ本体６への落とし込み分と、角穴６ｊに貫通した樹脂ばね部８ａによって確保されている。
【図面の簡単な説明】
【００３５】
【図１】    本発明による横向き取付構造を示す斜め後方からの部分断面した斜視図である。
【図２】    従来の横向き取付構造を示す斜め後方からの部分断面した斜視図である。
【図３】    従来の横向き取付構造の取付状態を示す斜め前方下側からの外観斜視図である。
【図４】    従来のダクトプラグ
【図５】    本発明によるダクトプラグの実装外観を示す斜め下からの斜視外観図である。
【図６】    本発明による補強金具と樹脂カバーとの組合せ構造を示す斜視外観図である。
【図７】    本発明による樹脂カバーの連結部を縮めた状態を示す斜視外観図である。
【図８】    本発明による筐体の側面開放穴の設置例を示す斜視外観図である。
【図９】    本発明による回転止めの取付状態を示す部分断面した斜視図である。
【図１０】    本発明による回転止めの取り付け構造を示す部分断面した分解斜視図である。
【符号の説明】
【００３６】  １      ライティングダクト
１ａ    取付面下端
１ｂ    開口折返し部
１ｃ    上側縁端
１ｄ    導体
１ｅ    絶縁体
１ｆ    極性表示凸リブ
２      灯体アーム
３      ダクトプラグ筐体
３ａ    引掛爪
３ｂ    上側引掛爪
３ｃ    筐体下端部
３ｄ    接触片
３ｅ    突起部
４      ダクトカバー
５      補強補助具
５ａ    上部フレーム
５ｂ    引掛部
５ｃ    フレーム腕部
５ｄ    大爪
５ｅ    取付ベース部
５ｆ    小爪
５ｊ    垂直直線部
６      ダクトプラグ本体
６ａ    突起
６ｂ    回転機構収納部
６ｃ    掛止片
６ｄ    ナット穴
６ｅ    開放穴
６ｆ    スリット穴
６ｇ    巻線ばね固定ピン
６ｈ    樹脂ばね支持点
６ｊ    樹脂ばね用角穴
７      ダクトプラグ蓋
７ａ    突起
７ｂ    回転機構収納部
８      回転止め
８ａ    樹脂ばね部
８ｂ    樹脂ばね先端
９      補強金具
９ａ    上部フレーム
９ｂ    引掛部
９ｃ    フレーム腕部
９ｄ    大爪
９ｅ    下部フレーム
９ｆ    折曲先端部
１０      樹脂カバー
１０ａ    固定用両端ツメ
１０ｂ    固定用中央ツメ
１０ｃ    連結部
１０ｄ    中央セルフヒンジ部
１０ｅ    両側セルフヒンジ部
１０ｆ    ストッパー
【図１】
2007134294.tif 000003
【図２】
2007134294.tif 000004
【図３】
2007134294.tif 000005
【図４】
2007134294.tif 000006
【図５】
2007134294.tif 000007
【図６】
2007134294.tif 000008
【図７】
2007134294.tif 000009
【図８】
2007134294.tif 000010
【図９】
2007134294.tif 000011
【図１０】
2007134294.tif 000012